(57)【要約】【課題】建物に悪影響を及ぼさない雨水貯留浸透システムを提供する。【解決手段】雨水貯留浸透機能を有する雨水貯留浸透施設４Ａを建物２の側面に隣接して地中に埋設し、該雨水貯留浸透施設４Ａにおいて、該建物２と対面する第１側面４１に遮水性シート４５を配して遮水面４３を形成し、該建物２と対面しない第２側面４２に透水性シート４６を配して透水面４４を形成し、建物２側に雨水が排出されないようにすると共に、建物２の側面と前記第１側面４１とを平面視略平行とし、該建物２と該雨水貯留浸透施設４Ａとの間の区画が平面視で単純形状となり、施工が容易となるようにした。【選択図】図３
2014234643.tif 000002
【特許請求の範囲】
【請求項１】
建物に配設された雨樋から流出する雨水が導入されることによって該雨水が一時貯留されると共に地中へ浸透する雨水貯留浸透システムであって、
前記建物の側面に隣接して地中に埋設される雨水貯留浸透施設を備え、
該雨水貯留浸透施設は、前記雨樋から流出する雨水が導入される内部空間を有し、該雨水貯留浸透施設の外周面には、前記建物と対面する第１側面と、該建物と対面しない第２側面と、が少なくとも形成され、該建物と該第２側面との間に該第１側面が配されており、
該第１側面を介して前記内部空間から地中へ排出される雨水浸透量よりも、該第２側面を介して該内部空間から地中へ排出される雨水浸透量の方が多い
ことを特徴とする雨水貯留浸透システム。
【請求項２】
前記建物の側面と前記第１側面とは、平面視略平行に配置される
請求項１に記載の雨水貯留浸透システム。
【請求項３】
前記第１側面は、前記雨水貯留浸透施設の内部空間内に導入された雨水が地中に向けて浸透が不可能な遮水面であり、
前記第２側面は、該雨水貯留浸透施設の内部空間内に導入された雨水が地中に向けて浸透可能な透水面である
請求項１又は請求項２に記載の雨水貯留浸透システム。
【請求項４】
前記雨水貯留浸透施設は、
前記内部空間を有し、該内部空間の雨水を地中へ排出するための透水部が周壁に設けられている雨水貯留浸透体を備え、
前記第１側面は、該雨水貯留浸透体の全部又は一部を被覆する遮水性被覆部材によって構成され、
前記第２側面は、該雨水貯留浸透体の全部又は一部を被覆する透水性被覆部材によって構成されている
請求項３に記載の雨水貯留浸透システム。
【請求項５】
前記雨水貯留浸透施設には、
前記遮水性被覆部材の表面及び／又は裏面に、前記第２側面を構成する前記透水性被覆部材の一部が重ね合わせられた重合部分が設けられている
請求項４に記載の雨水貯留浸透システム。
【請求項６】
前記雨水貯留浸透施設は、
前記内部空間を有し、該内部空間の雨水を地中へ排出するための透水部が周壁に設けられている雨水貯留浸透体を複数備え、
該複数の雨水貯留浸透体は、前記建物の側面に沿って並置されている
請求項１乃至請求項５のいずれか１項に記載の雨水貯留浸透システム。
【発明の詳細な説明】
【技術分野】
【０００１】
本発明は、雨水を一時的に貯留し、地中に浸透させる雨水貯留浸透システムに関し、特に建物等に隣接して設置される場合に適した雨水貯留浸透システムに関する。
【背景技術】
【０００２】
従来から、雨水を一時的に貯留し、貯留した雨水を地中に緩やかに浸透させて排水する雨水用の貯留浸透施設が提案されている。該貯留浸透施設は、例えば特許文献１に開示されているように、掘削して形成された地盤タンク部内に透水性補強シートが敷設され、その上に複数の貯留構造体が縦横及び上下方向に積み重ねられて貯留槽が形成されている。
【０００３】
他にも、例えば特許文献２に開示されているように、雨水を浸透させる孔やスリットが開設された雨水浸透製品を埋設するに際し、その外側に透水性シートを介在させる雨水の地下浸透施設の施工方法が提案されている。
【０００４】
さらに、例えば特許文献３に開示されているように、合成樹脂製の貯水用構造材を地下に多数集積し、その周囲を透水性シートで囲繞して埋設した雨水貯留装置も提案されている。
【先行技術文献】
【特許文献】
【０００５】
【特許文献１】特開２０１３−４４２１２号公報
【特許文献２】特開平１０−１６８９８４号公報
【特許文献３】特開平１１−７１７８９号公報
【発明の概要】
【発明が解決しようとする課題】
【０００６】
しかしながら、上記特許文献１〜特許文献３に開示されているような、従来の貯留浸透施設等においては、該貯留浸透施設等を建物と土地境との間等の狭小地に設置しようとすると、該貯留浸透施設等から地中に排出された雨水が建物の基礎周辺に達し、基礎周辺の地盤の緩みが生じたり、基礎の内側の地面から湿気が上昇して建物を傷めたりする等の悪影響を及ぼすおそれがあった。
【０００７】
一方、地中に浸透した雨水の建物への影響を小さくするべく、貯留浸透施設における浸透面積を小さくすると、結果的に雨水の浸透量が少なくなる。また、貯留浸透施設と建物との距離を十分に確保することも敷地面積の関係で限界がある。
【０００８】
そこで本発明は、十分に一時貯留でき、建物やその基礎を傷めることなく建物と土地境との間等の狭小地に適切に設置することができる雨水貯留浸透システムを提供することを目的とする。
【課題を解決するための手段】
【０００９】
本発明は、建物に配設された雨樋から流出する雨水が導入されることによって該雨水が一時貯留されると共に地中へ浸透する雨水貯留浸透システムであって、前記建物の側面に隣接して地中に埋設される雨水貯留浸透施設を備え、該雨水貯留浸透施設は、前記雨樋から流出する雨水が導入される内部空間を有し、該雨水貯留浸透施設の外周面には、前記建物と対面する第１側面と、該建物と対面しない第２側面と、が少なくとも形成され、該建物と該第２側面との間に該第１側面が配されており、該第１側面を介して前記内部空間から地中へ排出される雨水浸透量よりも、該第２側面を介して該内部空間から地中へ排出される雨水浸透量の方が多いことを特徴とする雨水貯留浸透システムである。
【００１０】
かかる構成において、「内部空間から地中へ排出される雨水浸透量」とは、前記雨水貯留浸透施設が有する内部空間から該雨水貯留浸透施設外へ排出される雨水の量を単位面積当りで比較したものである。すなわち、単純に前記第１側面と前記第２側面とが同面積であれば、所定時間内における第１側面から排出される雨水の量よりも、同一時間内における第２側面から排出される雨水の量の方が多いことになる。
【００１１】
かかる構成とすることで、第２側面よりも相対的に建物に近い位置にある第１側面から排出される雨水の方を少なくすることができる。これによって、該雨水貯留浸透施設が建物の側面に隣接して地中に埋設されていても、雨水の地中への浸透が優先的に該第２側面側から行われるため、建物の基礎周辺の地盤の緩みや建物に対する湿気の影響を低減できる。
【００１２】
また、前記建物の側面と前記第１側面とは、平面視略平行に配置されることが望ましい。
【００１３】
かかる構成とすることで、建物と第１側面との間の距離が一定に保たれるため、該建物と該雨水貯留浸透施設との間の区画が平面視で単純形状となり、施工が容易となる。
【００１４】
さらに、前記第１側面は、前記雨水貯留浸透施設の内部空間内に導入された雨水が地中に向けて浸透が不可能な遮水面であり、前記第２側面は、該雨水貯留浸透施設の内部空間内に導入された雨水が地中に向けて浸透可能な透水面であることが望ましい。
【００１５】
かかる構成とすることで、該第１側面側から地中への雨水の浸透が抑止される。これにより、建物における基礎周辺の地盤の緩みや湿気の影響がより一層確実に抑制される。
【００１６】
ここで、前記雨水貯留浸透施設は、前記内部空間を有し、該内部空間の雨水を地中へ排出するための透水部が周壁に設けられている雨水貯留浸透体を備え、前記第１側面は、該雨水貯留浸透体の全部又は一部を被覆する遮水性被覆部材によって構成され、前記第２側面は、該雨水貯留浸透体の全部又は一部を被覆する透水性被覆部材によって構成されていることが望ましい。
【００１７】
かかる構成とすることで、第１側面と第２側面とを有する前記雨水貯留浸透施設を、遮水性被覆部材と透水性被覆部材とを用いて構成することができる。これは、従来、雨水貯留浸透体を透水性被覆部材で被覆することで雨水貯留浸透施設としていたものを、所要部分に遮水性被覆部材を適用するだけで本発明における第１側面を構成することが可能となり、従来の雨水貯留浸透システムの構築方法を大幅に変更する必要なく所望の機能を得ることができる。
【００１８】
さらに、前記雨水貯留浸透施設には、前記遮水性被覆部材の表面及び／又は裏面に、前記第２側面を構成する前記透水性被覆部材の一部が重ね合わせられた重合部分が設けられていることが望ましい。
【００１９】
かかる構成とすることで、前記第１側面の非浸透機能と前記第２側面の浸透機能とを確保したままで、前記遮水性被覆部材と前記透水性被覆部材とを隙間なく配置することが可能となる。
【００２０】
そして、前記雨水貯留浸透施設は、前記内部空間を有し、該内部空間の雨水を地中へ排出するための透水部が周壁に設けられている雨水貯留浸透体を複数備え、該複数の雨水貯留浸透体は、前記建物の側面に沿って並置されていることが望ましい。
【００２１】
かかる構成とすることで、雨水貯留浸透体が複数であったとしても、前記建物の側面に沿って雨水貯留浸透施設を設置することができ、該雨水貯留浸透システムを狭小地に好適に適用することができる。
【発明の効果】
【００２２】
本発明の雨水貯留浸透システムは、建物に隣接して設置されても建物の基礎周辺の地盤の緩みや建物への湿気の影響を好適に抑制することができる。
【図面の簡単な説明】
【００２３】
【図１】実施例にかかる雨水貯留浸透システムの概要平面図。
【図２】図１に示す雨水貯留浸透システムの縦断面を示す説明図。
【図３】雨水貯留浸透施設の縦断面を示す説明図。
【図４】変形例１にかかる雨水貯留浸透施設の縦断面を示す説明図。
【発明を実施するための形態】
【００２４】
以下、本発明の雨水貯留浸透システムを具体化した実施例を詳細に説明する。なお本発明は、下記に示す実施例に限定されることはなく、適宜設計変更が可能である。
【００２５】
図１〜図３に示すように、雨水貯留浸透システム１は、建物２の周囲の地中に埋設された雨水貯留浸透施設４Ａを備え、該建物２の雨樋２ａから流出する雨水が該雨水貯留浸透施設４Ａに導入される雨水経路Ｘが構築されている。
【００２６】
前記雨水貯留浸透施設４Ａは、箱型の雨水貯留浸透体８を複数備え、該複数の雨水貯留浸透体８が、前記建物２の側面（具体的には、基礎２０の外縁）に沿って並置されることで、全体として平面視細長形状とされている。これにより、該雨水貯留浸透施設４Ａにおいては、該建物２と対面する第１側面４１と、該建物２と対面しない第２側面４２と、が形成され、該建物２と該第２側面４２との間に該第１側面４１が配置されている。したがって、本実施形態にあっては、該建物２の側面と該第１側面４１とが平面視で略平行に配置されることになり、また該第１側面４１と該第２側面４２とが、平面視で略平行に配置されることになる。
【００２７】
図２に示すように、前記雨水貯留浸透体８は、上下左右にそれぞれ周壁が形成されることで雨水を一時貯留できる内部空間Ｙを有し、十分な耐荷重性を備えた構造となっている。また、該雨水貯留浸透体８の周壁には、前記内部空間Ｙに導入された雨水を外部へ排出するための透水部（透水孔）８ａが貫通状に多数設けられている。例えば、該雨水貯留浸透体８の寸法は、長さ５０ｃｍ、幅５０ｃｍ、高さ１００ｃｍ程度のものが好適に採用される。
【００２８】
また、いずれかの雨水貯留浸透体８の上壁には、上端が地表面に露出する点検用立管１０が接続され、これにより地上空間と雨水貯留浸透体８内とを連通する点検口１０ａが形成されている。なお、通常時は、該点検口１０ａには遮蔽用の蓋が取り付けられていることが望ましい。
【００２９】
また、前記建物２における雨樋２ａと、前記雨水貯留浸透施設４Ａとを繋ぐ雨水経路Ｘには、雨水ます６が配設されている。該雨水ます６の周壁には、雨樋２ａからの雨水が流入する流入口３と、該流入口３から流入した雨水が前記点検用立管１０を介して雨水貯留浸透体８へ流出する流出口５と、地上に臨むメンテナンス用の上端開口９とが設けられている。さらに、該雨水ます６内において、前記流出口５には、フィルター７が着脱可能に取り付けられている。また、前記上端開口９には、遮蔽用の蓋が取り付けられている。
【００３０】
そして、該雨水貯留浸透体８上に天板（図示省略）が載置された上で、該雨水貯留浸透体８の外周には、シート（被覆部材）４０が被せられている。さらに詳述すると、図３に示すように、前記シート４０は、遮水性シート４５と、透水性シート４６と、からなり、具体的には、透水性シート４６が雨水貯留浸透体８における略水平な上下面、及び略垂直な第２側面４２側の側面を被覆し、遮水性シート４５が該雨水貯留浸透体８における略水平な上下面、及び略垂直な第１側面４１側の側面を被覆している。したがって、雨水貯留浸透施設４Ａの前記第１側面４１に、遮水性シート４５が露出し、前記第２側面４２に透水性シート４６が露出している。このため、該第１側面４１は、雨水貯留浸透体８の内部空間Ｙから雨水が排出されない遮水面４３となり、これに対し該第２側面４２は、雨水貯留浸透体８の内部空間Ｙから雨水が排出される透水面４４となっている。なお、該遮水性シート４５と該透水性シート４６とは該雨水貯留浸透体８の上面及び下面において重ね合わせられており、透水性シート４６の表面に遮水性シート４５の裏面が重ねられた重合部分４７が設けられている。これにより、両シート４５，４６が雨水貯留浸透体８の周りに隙間なく配置されている。
【００３１】
前記遮水性シート４５としては、例えば合成樹脂シートやゴムシート等の遮水性能を備えたシート材が好適に用いられる。また、前記透水性シート４６としては、例えば合成樹脂繊維や天然繊維の織布や不織布等の透水性能を備えたシート材が好適に用いられる。
【００３２】
上記雨水貯留浸透システム１にあって、前記雨樋２ａを流下する雨水は、雨水ます６内に導入された後、雨水貯留浸透施設４Ａの雨水貯留浸透体８内へ導入され、その内部空間Ｙで一時貯留されると共に、前記第２側面４２の透水面４４のみから徐々に地中へ浸透する。
【００３３】
上記構成にあっては、第２側面４２よりも相対的に建物２に近い第１側面４１からは雨水が排出されないため、該雨水貯留浸透施設４Ａが建物２の側面に隣接して地中に埋設されていても、建物２の基礎２０周辺の地盤の緩みや建物２に対する湿気の影響を低減することができる。また、前記複数の雨水貯留浸透体８が、建物２の基礎２０に沿って全体として平面視細長形状となるように並べられて配置されているため、例えば、隣接している建物との間や建物と土地境との間等の狭小地であっても十分に雨水貯留浸透施設４Ａとして施工することが可能となる。さらに、該建物２の側面と前記第１側面４１とが、平面視略平行に配置されているため、建物２と第１側面４１との間の距離が一定に保たれ、該建物２と該雨水貯留浸透施設４Ａとの間の区画が平面視で単純形状となり、施工が容易となる。また、該雨水貯留浸透施設４Ａが建物２に近接して配置されるため、該建物２の壁面に沿って取り付けられている雨樋２ａからの雨水を、無駄なく該雨水貯留浸透施設４Ａに導入することが可能となり、雨水経路Ｘが過剰に長くなってしまうことがなくなる。
【００３４】
また、図４に従って、変形例にかかる雨水貯留浸透施設４Ｂを説明する。
雨水貯留浸透施設４Ｂは、前記雨水貯留浸透体８の全周に透水性シート４６が被せられ、その上からさらに遮水性シート４５が被せられていると共に、第２側面４２となる部位の遮水性シート４５が部分的に切除されることで、該遮水性シート４５の裏面側に配された透水性シート４６の一部が外部に露出して透水面４４とされている。
【００３５】
かかる構成にあっても、前記雨樋２ａを流下する雨水は、雨水貯留浸透施設４Ｂの雨水貯留浸透体８内へ導入されて内部空間Ｙで一時貯留されると共に、第２側面４２の透水面４４のみから徐々に地中へ浸透する。
【００３６】
前記雨水貯留浸透施設４Ｂは、下記の手順で施工されることが望ましい。
まず、所要箇所を掘削し、遮水性シート４５及び透水性シート４６、並びに、雨水貯留浸透体８を掘削箇所に配置し、該雨水貯留浸透体８の全周に透水性シート４６を被覆し、次に、その上から遮水性シート４５を全周被覆し、その後、第２側面４２となる部位の遮水性シート４５のみを部分的にカッター等で切除し、該遮水性シート４５の裏面側に配されていた透水性シート４６の一部を外部に露出させて透水面４４を形成し、土を埋め戻す。
【００３７】
かかる施工方法によれば、透水面４４の面積を施工現場の状況に合わせて適宜現場で定めることも可能であり、雨水貯留浸透施設４Ｂの施工作業が簡便となり、全体として迅速に施工が行える。
【００３８】
これまでに述べた実施例は、本発明の主旨を逸脱しない範囲で適宜変更可能である。例えば、雨水貯留浸透施設４Ａ，４Ｂは、公知のあらゆる構成が適用可能であり、溝が形成された底板と、該底板上で互いに向かい合って突き合わされた断面Ｌ字形状の２枚の側板と、該側板上に配される天板とで構成された雨水貯留浸透体８の底板同士を連結したものであってもよいし、樹脂製で一体成型された伏籠形状の雨水貯留浸透体８を例えば上下左右に連接させたものであってもよい。また、雨水貯留浸透体８は、厳密に平面視矩形である必要はなく、互いに略平行な第１側面４１と第２側面４２とを備える非矩形であってもよい。また、第１側面４１又は第２側面４２は、必ずしも平面である必要はなく、曲面であってもよい。また、第１側面４１の遮水面４３は、必ずしも遮水性シート４５で構成する必要はなく、遮水性の板部材等が配置されたり、雨水貯留浸透体８の第１側面４１側が遮水性材料で成形加工されていたりしてもよい。また、該第１側面４１は、厳密に遮水されている必要はなく、第２側面４２の透水面４４に比して、単位面積当りの雨水浸透量が少ない構成であってもよい。要は、建物２側に実質的に悪影響を及ぼさない程度の雨水の浸透があっても構わない。また、第２側面４２の透水面４４は、必ずしも透水性シート４６で構成する必要はなく、例えば所定箇所に孔が開口したゴムシート等が配置されていたり、雨水貯留浸透体８の第２側面４１側が透水性材料で成形加工されていたりしてもよい。また、遮水性シート４５と透水性シート４６との重合部分４７にあっては、遮水性シート４５の表面に透水性シート４６が配置されても勿論よい。また、該重合部分４７の位置は、雨水貯留浸透施設４Ａ，４Ｂの外周において適宜定めることが可能であり、上記した実施形態に限定されることはない。また重合部分４７が形成されない構成も本発明に含まれる。また、雨水貯留浸透体８の上面又は下面に透水面４４を配置してもよい。
【００３９】
また、前記雨水貯留浸透体８は、複数である必要はなく、単体であっても勿論よい。また、雨水貯留浸透体８又は雨水ます６等の各部材の材料や寸法形状は特に限定されないが、製造又は加工の容易さや、運搬、施工作業の容易さを考慮して、樹脂製のものが好ましい。また、再生ＰＰや再生ＰＥＴなどを使用することで、環境への配慮を図ることもできる。また、軽量な部材を積極的に用いることで、重機の使用が困難な狭小地においても、人力で本発明にかかる雨水貯留浸透システム１を設置することが可能である。
【符号の説明】
【００４０】
１              雨水貯留浸透システム
２              建物
２ａ            雨樋
４Ａ，４Ｂ      雨水貯留浸透施設
８              雨水貯留浸透体
４０            シート（被覆部材）
４１            第１側面
４２            第２側面
４３            遮水面
４４            透水面
４５            遮水性シート（遮水性被覆部材）
４６            透水性シート（透水性被覆部材）
４７            重合部分
【図１】
2014234643.tif 000003
【図２】
2014234643.tif 000004
【図３】
2014234643.tif 000005
【図４】
2014234643.tif 000006